(57)【要約】【課題】汚水中に含まれる毛髪等の繊維状物質を捕捉する索条の繰り返し使用が可能となるようにすることによって、交換作業を不要とし、かつ確実に毛髪を除去することができるようにした活性汚泥法における毛髪等の繊維状物質除去方法を提供すること。【解決手段】汚水が流水する水路Ａに、その一部を浸漬するようにして循環させて、汚水に含まれる毛髪等の繊維状物質を補足するようにした索条３１を、水路Ａ外に配設した毛髪の分解液に浸漬させて、索条３１にて捕捉した毛髪等の繊維状物質４を分解除去する。【選択図】  図２
2004267994.tif 000002
【特許請求の範囲】
【請求項１】
汚水が流水する水路に、その一部を浸漬するようにして循環させて、汚水に含まれる毛髪等の繊維状物質を補足するようにした索条を、水路外に配設した毛髪の分解液に浸漬させて、該索条にて捕捉した毛髪等の繊維状物質を分解除去するようにしたことを特徴とする活性汚泥法における毛髪等の繊維状物質除去方法。
【請求項２】
毛髪等の繊維状物質を補足する索条、及び該索条を循環するよう導くためのシーブ、ガイドを、毛髪の分解液に対して腐食することのない材質を用いて形成したことを特徴とする請求項１記載の活性汚泥法における毛髪等の繊維状物質除去方法。
【請求項３】
毛髪の分解液として、強アルカリ性溶液を使用したことを特徴とする請求項１又は２記載の活性汚泥法における毛髪等の繊維状物質除去方法。
【発明の詳細な説明】
【０００１】
【発明の属する技術分野】
本発明は、活性汚泥法における毛髪等の繊維状物質除去方法、特に、小規模下水処理場において、該処理場に流入する汚水に含まれる毛髪等の繊維状難分解性物質を捕捉し、確実に分解除去するようにした活性汚泥法における毛髪等の繊維状物質除去方法に関するものである。
【０００２】
【従来の技術】
従来、下水処理場に流入する汚水には、人糞、厨茶等、塊状の可分解性物質のほか、プラスチック塊、木片、空き缶等の塊状の難分解性物質や、毛髪等の繊維状で難分解性物質が含まれている。
【０００３】
ところで、小規模な下水処理場においては、通常、活性汚泥法に支障となるこれらの難分解性物質のうち、塊状の難分解性物質を除去するため、簡易な除塵手段が設置されている。
【０００４】
しかし、この除塵手段にては、毛髪等の繊維状難分解性物質を確実に捕捉、除去できないため、毛髪等の繊維状難分解性物質は、汚水に混じって曝気槽と沈殿槽間を循環することとなり、活性汚泥処理施設や後段の処理設備に設置されたセンサーやポンプ等に絡みつき、センサーに誤作動を起こさせたり、ポンプを詰まらせたりしてその処理能力の低下を引き起こし、汚水処理に支障を来す要因となっていた。
【０００５】
この捕捉したり、除去し難い毛髪等の繊維状難分解性物質を、捕捉、除去する方法として、索条を順次水路内に繰り出し、水路内の汚水中に浸漬した後、該索条にて捕捉された毛髪等の繊維状難分解性物質を索条と共に巻き取り、索条ごと排棄するようにした装置（例えば、特許文献１参照）が実用化されている。
【０００６】
【特許文献１】
特開２００１−２１９１８８号公報
【０００７】
【発明が解決しようとする課題】
ところが、上記毛髪等の繊維状物質除去方法においては、汚水中に含まれる毛髪等の繊維状物質を捕捉、除去する索条は、使い捨てであり、またこの交換は不快作業となり、さらには毛髪等の繊維状物質を捕捉した索条を、焼却などにて処分する作業を要するという問題点があった。
また、この索条の交換回数を減らすために、使い捨てとなる索条を長くしているが、このために毛髪等の繊維状物質除去装置が大型化するという問題点があった。
【０００８】
本発明は、上記従来の毛髪等の繊維状物質除去方法の有する問題点に鑑み、汚水中に含まれる毛髪等の繊維状物質を捕捉する索条の繰り返し使用が可能となるようにすることによって、交換作業を不要とし、かつ確実に毛髪を除去することができるようにした活性汚泥法における毛髪等の繊維状物質除去方法を提供することを目的とする。
【０００９】
【課題を解決するための手段】
上記目的を達成するため、本発明の活性汚泥法における毛髪等の繊維状物質除去方法は、汚水が流水する水路に、その一部を浸漬するようにして循環させて、汚水に含まれる毛髪等の繊維状物質を補足するようにした索条を、水路外に配設した毛髪の分解液に浸漬させて、該索条にて捕捉した毛髪等の繊維状物質を分解除去するようにしたことを特徴とする。
なお、この場合、水路は、曝気槽と沈殿槽間を結ぶ水路及び無終端に一定方向に曝気攪拌流が生じる曝気槽内の水路を含むものとする。
【００１０】
本発明の活性汚泥法における毛髪等の繊維状物質除去方法は、ループ状の索条を、水路内の汚水と、水路上方に配設した分解槽内の分解液とを循環するようにしているため、該索条を循環駆動することで、汚水中の毛髪等の繊維状物質を捕捉し、水路より引き上げ、次にこれを分解液中を浸漬させることができるので、捕捉された毛髪等の繊維状物質は、分解液で分解され、難分解性の物質でも簡易な方法と装置で、確実に除去することができる。
【００１１】
また、毛髪等の繊維状物質を補足する索条、及び該索条を循環するよう導くためのシーブ、ガイドを、毛髪の分解液に対して腐食することのない材質を用いて形成することができる。
【００１２】
これにより、索条及びこれを循環するよう導くために配設するシーブ、ガイドに、毛髪の分解液が浸漬、あるいは接触しても腐食することがないので、メンテナンスが簡易となり、連続的使用が可能となる。
【００１３】
また、毛髪の分解液として、強アルカリ性溶液を使用することができる。
【００１４】
これにより、安価で容易に入手でき、毛髪の分解も簡易に行え、使用済み後の中和処理も簡易に行える。
【００１５】
【発明の実施の形態】
以下、本発明の活性汚泥法における毛髪等の繊維状物質除去方法の実施の形態を図面に基づいて説明する。
【００１６】
図１は、小規模な下水処理場に流入する汚水を、曝気槽と沈殿槽とを用いた活性汚泥法にて処理する一実施例を示す。
流入汚水は、まず曝気槽１に導かれ、この曝気槽１内にて活性汚泥の微生物にて分解した後、次の沈殿槽２に導かれ、ここで汚泥分と処理水とを重力分離し、処理水を系外に排出すると共に、沈殿分離された汚泥は余剰汚泥として排泥し、その一部を活性汚泥として再利用を図るため、曝気槽１へ返送し、これにより流入汚水を連続的に処理する。
【００１７】
この場合において、流入汚水中に含まれる難分解性の毛髪等の繊維状物質を捕捉し、分解処理するための除去手段３を配設する。
【００１８】
この毛髪等の繊維状物質を捕捉分解処理する除去手段３は、曝気槽１と沈殿槽２間を結ぶ水路Ａ、又は無終端に一定方向に曝気攪拌流が生じるオキシデーションディッチ法等の曝気槽１内に配設し、これにより、流入汚水中に含まれる毛髪等の繊維状物質を捕捉するようにする。
【００１９】
そして、この毛髪等の繊維状物質の除去手段３は、水路Ａ又は曝気槽１の上方位置からループ状の索条３１が、水路内の汚水と、水路上方位置に配設した分解槽３４内の分解液Ｂとに順次浸漬されるよう循環駆動するようにして設置するもので、索条３１を循環移動させるための回転リール３２と、この索条３１を水路Ａの汚水中に浸漬、張架するために水路Ａ、又は曝気槽１内に配設したガイド３３と、この索条３１に捕捉された毛髪等の繊維状物質を分解する強アルカリ性の分解液Ｂを満たした分解槽３４と、索条３１を円滑に分解槽３４内に導入するためのシーブ３５及び索条３１の全面が分解液Ｂに接触するように分解槽３４内に設けられたシーブ３６及びシーブ３７とからなる。
【００２０】
この回転リール３２の回転により索条３１をループ状に循環させると、水路の汚水中で索条３１にて捕捉された毛髪等の繊維状物質４は、索条と共に水路上に引き上げられる。この水路上に引き上げられた索条３１は、さらに回転リール３２の回転により移動し、分解槽上部に設置されたシーブを介して強アルカリ性の毛髪の分解液を満たした分解槽３４内に導入される。
分解液Ｂを満たした分解槽３４内を、捕捉された毛髪等の繊維状物質４が索条３１と共に通過する際、捕捉された毛髪等の繊維状物質の全表面が分解液Ｂにさらされるよう一定時間、浸漬するようにして通過させ、分解液にて分解するようにする。これにより、ループ状の索条３１を循環させるだけで、毛髪の除去、分解を繰り返すようにする。
【００２１】
この場合、毛髪の等電点は、ｐＨ４．１〜４．７で、酸に対しては比較的安定であるが、アルカリに対しては弱く、ｐＨが上昇すると毛髪表面のキューティクル層が開くため、外部溶液の毛髪内部への侵入を可能となる。したがって、ｐＨ１０を超えると毛髪は膨張し、ｐＨ１２程度では、シスチン結合も切断され、溶解を始めるため、分解槽内のアルカリ溶液での分解が進行する。
【００２２】
次に本発明の作用について説明する。
回転リール３２の軸をモーター等の駆動源（図示省略）により、間欠的に、又は連続的に回転駆動することにより、索条３１を水路Ａ又は曝気槽１と、水路上方に配設した分解槽３４間を循環移動させる。
水路Ａ中又は曝気槽１にある索条３１は、水路Ａ中又は曝気槽１を流れてくる毛髪等の繊維状物質を捕捉し、回転リール３２により水路Ａ又は曝気槽１上に索条３１と共に引き上げられる。この毛髪等の繊維状物質４を捕捉した索条３１は、分解槽３４上部に設置されたシーブ３５を介して分解液Ｂを満たした分解槽３４内に浸漬される。
【００２３】
この分解槽３４には、ｐＨ１０以上の強アルカリ性溶液、特に限定されるものではないが、例えば水酸化ナトリウム、硫化ナトリウム、水酸化カリウム等を充填しているが、市販のパイプ等からの毛髪分解除去剤を用いることもできる。
分解槽３４に浸漬した索条３１に捕捉された毛髪等の繊維状物質４は、分解槽３４内に設置されたシーブ３６及びシーブ３７により分解液Ｂにさらされ、分解液Ｂ中に浸漬されている間に分解される。この分解液Ｂに浸漬される時間は、毛髪等の繊維状物質４が分解液Ｂにて分解されるに必要な時間とし、好ましくは０．５〜６時間以上とする。
なお、索条３１が一定速度で循環する場合、比較的小さな分解槽内の分解液Ｂ中に長時間浸漬させるために、分解槽内に複数のシーブ（図示省略）を配置し、これに索条をジグザグ状に掛け渡すことにより、長時間の浸漬を可能とすることができる。
また、分解液Ｂにより完全に分解されずに残った毛髪等の繊維状物質４は、その長さが短くなっているか、若しくは強度的に脆弱になっており、その大半は索条３１から離れ易くなって、分解槽３４中で沈降又は浮遊しつつ分解液にてさらに溶解される。
【００２４】
分解槽３４中で、毛髪等の繊維状物質４が除去された索条３１は、循環移動にともない水路Ａ又は曝気槽１に再度浸漬され、新たに汚水中を流れる毛髪等の繊維状物質を捕捉し、索条３１に捕捉された毛髪等の繊維状物質は分解液Ｂに浸漬され、分解される。
この場合、索条３１に捕捉された毛髪等の繊維状物質４が、分解槽３４で一部分解されず、索条３１に捕捉されたまま水路Ａ又は曝気槽１に浸漬されたとしても、一度分解液Ｂに浸漬されているため、毛髪等の繊維状物質の大半は、長さが短くなっている及び／又は強度的に脆弱となっているため、水路Ａ又は曝気槽１の汚水の流れにより索条３１より離れ、水路Ａ又は曝気槽１中に戻されるが、センサーやポンプ等に絡みつくほどの長さ、強度はなく、汚水処理に支障を来す要因とはならない。
【００２５】
また、索条３１の取付性及び緩み防止を考慮してテークアップ等の装置を設けるのが望ましい。索条３１には、流下する毛髪等が捕捉されやすいように節３ａを形成することもできる。
【００２６】
分解液Ｂは、一定量の毛髪等の繊維状物質を分解するとその分解能力が低下するので、定期的に分解槽３４の底部に配設したバルブ３８を開き、分解槽３４外に排出し、新しい分解液を補充、注入するようにする。
排出する分解液Ｂは水路Ａ又は曝気槽１に排出することも可能であるが、中和処理の後、排出するのが望ましい。
【００２７】
また、分解液Ｂを分解槽３４から排出する際、完全に分解されずに分解液Ｂ中に沈降又は浮遊していた毛髪等の繊維状物質が排出配管３９内より水処理系及び／又は汚泥処理系に混入しても、毛髪等の繊維状物質はその長さが短くなるが、若しくは強度的に脆弱になっているため問題は生じない。
【００２８】
なお、分解液Ｂと接触する分解槽３４、回転リール３２、シーブ３５、シーブ３６、シーブ３７、ガイド３３、索条３１は、強アルカリ性溶液中で腐食することのない素材、若しくは耐アルカリ腐食塗装又はコーティングを施した鋼材等が有効である。特に限定されるものではないが、例えば、分解槽３４、シーブ３６、シーブ３７、は純鉄、チタンなどの素材及び／又はポリビニルエステル、フッ素樹脂などで耐アルカリ腐食塗装を施した鋼材等が有効である。
同様に、回転リール３２、ガイド３３、シーブ３５は、チタンなどの素材及び／又はポリビニルエステル、フッ素樹脂などで耐アルカリ腐食塗装を施した鋼材等が有効である。
また、アルカリ性溶液に対して一定の耐食性のある、ゴム、プラスチック、ＦＲＰ、ガラス繊維又は耐アルカリ腐食塗装を施した鋼材等を用い、分解槽３４、回転リール３２、シーブ３５、シーブ３６、シーブ３７、ガイド３３、索条３１を定期的に交換することも有効である。
【００２９】
【発明の効果】
本発明の活性汚泥法における毛髪等の繊維状物質除去方法によれば、ループ状の索条を、水路内の汚水と、水路上方に配設した分解槽内の分解液とを循環するようにしているため、該索条を循環駆動することで、汚水中の毛髪等の繊維状物質を捕捉し、水路より引き上げ、次にこれを分解液中を浸漬させることができるので、捕捉された毛髪等の繊維状物質は、分解液で分解され、難分解性の物質でも簡易な方法と装置で、確実に除去することができる。
また、装置を小型化できるとともに、従来不快な作業をともなっていた索条の交換作業や、捕捉した毛髪等の繊維状物質の処理作業の必要もなくなる。
【００３０】
また、毛髪等の繊維状物質を補足する索条、及び該索条を循環するよう導くためのシーブ、ガイドを、毛髪の分解液に対して腐食することのない材質を用いて形成しているため、毛髪の分解液が浸漬、あるいは接触しても腐食することがないので、メンテナンスが簡易となり、連続的使用が可能となる。
【００３１】
また、毛髪の分解液として強アルカリ性溶液を使用しているため、安価で容易に入手でき、毛髪の分解も簡易に行え、使用済み後の中和処理も簡易に行える。
【図面の簡単な説明】
【図１】本発明の活性汚泥法における毛髪等の繊維状物質を除去するようにした一実施例の説明図である。
【図２】分解液を用いた毛髪等の繊維状物質を分解する除去手段を示す説明図である。
【符号の説明】
１    曝気槽
２    沈殿槽
３    毛髪分解液を用いた毛髪等の繊維状物質の除去手段
３１  索条
３２  回転リール
３３  ガイド
３４  分解槽
３５  シーブ
３６  シーブ
３７  シーブ
３８  バルブ
３９  排出配管
３ａ  節
４    毛髪等の繊維状物質
Ａ    水路
Ｂ    分解液
【図１】
2004267994.tif 000003
【図２】
2004267994.tif 000004